(57)【要約】      （修正有）【課題】スマートフォンなどの小型携帯端末を片手で操作することが出来、なおかつ手のひらから外れても２本の指にはさんだストラップの先端のストッパーで最終的な落下を防ぐことが出来るストラップを提供する。【解決手段】ストラップは、ストラップ止めリング１、指位置固定用チェーン２を複数個、及び指からの落下防止用ストッパー３で構成されるスマートフォン本体６用のストラップであって、２本の指にはさむ位置を変えてひっぱりながら手のひらに押し付けて固定することにより、タッチパネルの様々な位置のクリック操作を片手で安全に行うことができることを特徴に持つ。また、机などに置くときに、指からの落下防止用ストッパー３を支えにして任意の傾きに自立する。【選択図】図１
2019192962.tif 000002
【特許請求の範囲】
【請求項１】
図１に示すストラップ止めリング（１）、指位置固定用チェーン（２）を複数個、及び指からの落下防止用ストッパー（３）で構成されるスマートフォン本体（６）用のストラップ（ひも状のバンド）であって、図２、図３、図４に示すとおり、２本の指にはさむ位置を変えてひっぱりながら手のひらに固定することにより、タッチパネルの様々な位置のクリックなどの操作を片手で安全に行うことを特徴に持つスマートフォン用チェーン型ストラップ。
【請求項２】
図６に示すスマートフォン本体（６）の裏側の中心部に位置決め格子（４）を取付け、図７、図８に示すとおりスマートフォン本体（６）を机などの平面に立てた状態で指からの落下防止用ストッパー（３）を使用して支えることにより、いつでも容易に任意の傾きで立てることを可能にした請求項１記載のスマートフォン用チェーン型ストラップ。
【発明の詳細な説明】
【技術分野】
【０００１】
本発明は、スマートフォン本体（６）を片手で安全に操作することを特徴に持つスマートフォン用チェーン型ストラップに関する。
【背景技術】
【０００２】
昨今、IT技術の進歩により、スマートフォンの性能の発展も著しく、スマートフォンを使用してパソコンなどのデータをビジネス面で共有する技術も確立されつつあり、ますます画面のサイズもより大きくなっていく方向にある。しかしながら、画面が大きくなれば操作も片手では難しくなり、両手で操作する場面もより多くなる可能性が増してくる。
【０００３】
従って、より今までの操作に近く、より安全な片手での操作が可能な補助具の必要性が考えられる。また、自宅、社内、または外出先などいずれの場所において机の上などに置いても画面を任意の角度に設置して使用いしたい場合は、スマートフォンスタンドなどの別の補助用具を持ち運ぶ必要があるが、携帯し難いことや忘れたりなど大変不便である。
【発明の概要】
【発明が解決しようとする課題】
【０００４】
これまでに使い勝手や全体のデザインを損なわず、出来る限り小型で、片手で操作可能な補助具で、ポケットからの取出しから、取り出した後の電源スイッチ操作、その後のタッチパネル画面の操作などの一連の操作に対して特別な操作がなく、なおかつ落下などに対して、より安全なものが望まれる。
【課題を解決するための手段】
【０００５】
本考案は、図１に示すストラップ止めリング（１）、指位置固定用チェーン（２）を複数個、及び指からの落下防止用ストッパー（３）で構成され、図２、図３、図４に示すとおり、２本の指にはさむ位置を変えてひっぱりながら手のひらにスマートフォン本体（６）を安定して押しつけることにより、タッチパネルの様々な位置のクリックなどの操作を片手で安全に行う様にする。
【０００６】
また、２本の指にはさまれた指位置固定用チェーン（２）から万が一すべり落ちた場合においても図５に示すとおり指からの落下防止用ストッパー（３）で引っ掛かるためスマートフォン本体（６）が地面まで落下することを防止することを可能にする。
【０００７】
また、図６に示すスマートフォン本体（６）の裏側の中心部に位置決め格子（４）を取付け、図７、図８に示すとおりスマートフォン本体（６）を机などの平面に立てた状態で指からの落下防止用ストッパー（３）を使用して支えることにより、いつでもどこでも容易に任意の傾きで立てることを可能にする。 
【発明の効果】
【０００８】
スマートフォン本体（６）に取り付けた本考案のスマートフォン用チェーン型ストラップのチェーン部の任意の位置を２本の指で挟んで取り出すことにより、スマートフォン本体（６）の向きは目で確認することなく使える方向で手にしており、そのまま取り出して使用できる。その後は、片手で電源スイッチを押した後、続けて片手でタッチパネルの画面操作をする。この一連の流れが、片手でスムースに行うことが出来るので、現在反対の手で何か作業している場合においても同時にスマートフォン本体（６）の操作にとりかかることが出来る。
従ってビジネスや生活の中で時間を有効に活用できるという効果が得られる。
【０００９】
また、スマートフォン本体（６）の操作中に、万が一手のひらから滑っって外れ、さらに２本の指が指位置固定用チェーン（２）がら滑ってすり抜けるという状況が起こったとしても、２本の指を指位置固定用チェーン（２）から外そうとしていなければ極端には開いていないので、図５に示すとおり指からの落下防止用ストッパー（３）で引っ掛かるためスマートフォン本体（６）が地面まで落下することを防止することが出来、危険を回避することができるという効果が得られる。
【００１０】
また、図６に示すスマートフォン本体（６）の裏側の中心部に位置決め格子（４）を取付け、図７、図８に示すとおりスマートフォン本体（６）を机などの平面に立てた状態で指からの落下防止用ストッパー（３）を使用して支えることにより、いつでも容易に任意の傾きで立てることが可能となる。従って、自宅、社内、または外出先などいずれの場所においても机などの席についた場合に、スマートフォン本体（６）を手で持つことなく、任意の角度に変えて画面を見たり、操作したりできるので、各場面において、作業効率が非常に上がるという効果が得られる。
【図面の簡単な説明】
【００１１】
【図１】図１は、スマホ側ストラップ止め部（７）に本考案のスマートフォン用チェーン型ストラップを取り付けた図である。
【図２】図２は、指位置固定用チェーン（２）の第１番目のチェーンの位置を薬指と小指の間ではさんで持った図である。
【図３】図３は、指位置固定用チェーン（２）の第３番目のチェーンの位置を薬指と小指の間ではさんで持った図である。
【図４】図４は、指位置固定用チェーン（２）の第５番目のチェーンの位置を薬指と小指の間ではさんで持った図である。
【図５】図５は、本考案のスマートフォン用チェーン型ストラップの指位置固定用チェーン（２）のいずれかのチェーンの位置を薬指と小指の間で持っていて、操作ミスによりスマートフォン本体（６）が、滑り落ちてしまった時に、最終、指からの落下防止用ストッパー（３）にて引っ掛かり危険を回避をした図である。
【図６】図６は、スマートフォン本体（６）の裏面中心に位置決め格子（４）を貼り付けた図である。
【図７】図７は、本考案のスマートフォン本体（６）の裏面側に貼り付けた位置決め格子（４）に指からの落下防止用ストッパー（３）を立てかけ、自立させた裏側の図である。（角度大）
【図８】図８は、本考案のスマートフォン本体（６）の裏面側に貼り付けた位置決め格子（４）に指からの落下防止用ストッパー（３）を立てかけ、自立させた表側の図である。（角度大）
【図９】図９は、本考案のスマートフォン本体（６）の裏面側に貼り付けた位置決め格子（４）に指からの落下防止用ストッパー（３）を立てかけ、自立させた裏側の図である。（角度小）
【図１０】図１０は、本考案のスマートフォン本体（６）の裏面側に貼り付けた位置決め格子（４）に指からの落下防止用ストッパー（３）を立てかけ、自立させた表側の図である。（角度小）
【発明を実施するための形態】
【００１２】
本考案は、図１に示すストラップ止めリング（１）、指位置固定用チェーン（２）を複数個、及び指からの落下防止用ストッパー（３）で構成されるスマートフォン（６）用の補助具であって、図２、図３、図４に示すとおり、２本の指にはさむ位置を変えてひっぱりながら手のひらにスマートフォン本体（６）を安定して押しつけることにより、タッチパネルの様々な位置のクリックなどの操作を片手で安全に行う。
指位置固定用チェーン（２）は、複数個つなげた場合、隣同士が順次直角に配置されるため、２本指ではさんだ隣のチェーンがはさんだ指の位置を固定するような直角方向に向き、本考案の指位置固定の目的に非常に良い働きをする。
また、それでも指が大きく緩んで２本の指にはさまれた指位置固定用チェーン（２）からすべり落ちた場合においても、最終的には図５に示すとおり指からの落下防止用ストッパー（３）で引っ掛かるためスマートフォン本体（６）が地面まで落下することを２重に防止する。
また、指位置固定用チェーン（２）は、チェーンの数が異なるラインナップを何種類か製作しても良いし、各チェーンの１箇所が、かぎ型のつなぎを有し、継ぎ足せる構造のものでも良い。
また、ストラップ止めリング（１）は、固定の金属などのリングでも、ストラップ用の芯入りのひもでもよく、指位置固定用チェーン（２）に接続して使用する。
【００１３】
図６に示すスマートフォン本体（６）の裏側の中心部に位置決め格子（４）を取付け、図７、図８に示すとおりスマートフォン（６）を机などの平面に立てた状態で指からの落下防止用ストッパー（３）を使用して支えることにより、いつでもどこでも容易に任意の傾きで立てることが出来る。
図７、図８はスマートフォン（６）を位置決め格子（４）に引っ掛けて縦に立てているが、同じく位置決め格子（４）に横にしても同様に立てることが可能である。
【符号の説明】
【００１４】
１  ストラップ止めリング
２  指位置固定用チェーン
３  指からの落下防止用ストッパー
４  位置決め格子
５  操作する手
６  スマートフォン本体
７  スマホ側ストラップ止め部
【図１】
2019192962.tif 000003
【図２】
2019192962.tif 000004
【図３】
2019192962.tif 000005
【図４】
2019192962.tif 000006
【図５】
2019192962.tif 000007
【図６】
2019192962.tif 000008
【図７】
2019192962.tif 000009
【図８】
2019192962.tif 000010
【図９】
2019192962.tif 000011
【図１０】
2019192962.tif 000012